(57)【要約】【課題】キー操作部の薄型化を損なわず、且つ、キーマトリクスを複雑化せずにキーの２重押しの検出が可能なキー押下検出装置を提供すること。【解決手段】２以上の配線間に電流が流れることで所定のキーが押下されたことを検出するキー押下検出装置であって、第１配線Ａ、第２配線Ｂ及び第３配線Ｃを有する基板５０と、基板５０上に配置された各々が独立して押下される第１キー１４１ａ、第２キー１４１ｂ及び第３キー１４１ｅと、第１キー１４１ａの押下によって、第１配線Ａと第２配線Ｂとを電気的に接続する第１接続部５１２と、第２キー１４１ｂの押下によって、第１配線Ａと第３配線Ｃとを電気的に接続する第２接続部５１３と、第３キー１４１ｅの押下によって、第１配線Ａと第２配線Ｂと第３配線Ｃとを電気的に接続する第３接続部５１４と、を備える。【選択図】図５
2010009963.tif 000002
【特許請求の範囲】
【請求項１】
２以上の配線間に電流が流れることで所定のキーが押下されたことを検出するキー押下検出装置であって、
第１配線、第２配線及び第３配線を有する基板と、
前記基板上に配置され各々が独立して押下される第１キー、第２キー及び第３キーと、
前記第１キーの押下によって、前記第１配線と前記第２配線とを電気的に接続する第１接続部と、
前記第２キーの押下によって、前記第１配線と前記第３配線とを電気的に接続する第２接続部と、
前記第３キーの押下によって、前記第１配線と前記第２配線と前記第３配線とを電気的に接続する第３接続部と、を備えたキー押下検出装置。
【請求項２】
前記第１配線は、該第１配線の一部が露出されて形成された第１端子部、第２端子部及び第３端子部を含んで構成され、
前記第２配線は、該第２配線の一部が露出されて形成された第４端子部及び第５端子部を含んで構成され、
前記第３配線は、該第３配線の一部が露出されて形成された第６端子部及び第７端子部を含んで構成され、
前記第１接続部は、前記第１キーの押下によって、前記第１端子部及び前記第４端子部に接触し、
前記第２接続部は、前記第２キーの押下によって、前記第２端子部及び前記第６端子部に接触し、
前記第３接続部は、前記第３キーの押下によって、前記第３端子部、前記第５端子部及び前記第７端子部に接触する請求項１に記載のキー押下検出装置。
【請求項３】
前記第１端子部及び前記第４端子部のうちの一方の端子部は環状であり、他方の端子部は前記一方の端子部の内側に配置されている請求項２に記載のキー押下検出装置。
【請求項４】
前記第３端子部、前記第５端子部及び前記第７端子部のうちの一つの端子部は環状であり、前記第３端子部、前記第５端子部及び前記第７端子部のうちの前記一つの端子部とは異なる二つの端子部は、前記一つの端子部の内側に配置されている請求項２又は請求項３に記載のキー押下検出装置。
【請求項５】
前記二つの端子部のうちの一方の端子部は、他方の端子部に挟まれた領域を有する請求項４に記載のキー押下検出装置。
【請求項６】
前記基板は、前記第１配線、前記第２配線及び前記第３配線が複数の絶縁部材に挟み込まれて構成されており、
前記二つの端子部それぞれの一部は、前記複数の絶縁部材の存在しない領域に位置しており、
前記第３接続部は、前記二つの端子部における前記複数の絶縁部材の存在しない領域に位置している部分に接触する請求項４又は請求項５に記載のキー押下検出装置。
【発明の詳細な説明】
【技術分野】
【０００１】
本発明は、キー押下検出装置に関する。詳しくは、２以上の配線間に電流が流れることで所定のキーが押下されたことを検出するキー押下検出装置に関する。
【背景技術】
【０００２】
従来、携帯電話機等複数のキーを有する携帯電子機器は、これら複数のキーのうちのどのキーが押下されたかを検出するキー押下検出装置を備えている（例えば、特許文献１参照）。このキー押下検出装置は、基板上に設けられたキーマトリクスと呼ばれる行方向及び列方向にそれぞれ複数の配線が配置された回路構成を有している。そして、複数のキーのうちのいずれかのキーが押下されると、行方向に配置された複数の配線のうちの所定の配線と、列方向に配置された複数の配線のうちの所定の配線とが電気的に接続される。キー押下検出装置は、接続された配線の電流を検出することで、押下されたキーを特定している。
【特許文献１】特開２００５−１５０１２１号公報
【０００３】
例えば、携帯電話機において上下左右方向のスクロール等を行う十字キーでは、上キー、右キー、下キー及び左キーそれぞれに対応した配線の接続パターンが割り当てられている。上キー、右キー、下キー及び左キーと基板との間には、それぞれメタルドームが配置されており、キーが押下されることにより、メタルドームが変形して所定の配線同士を電気的に接続する。
また、このような十字キーでは、例えば、上キーと右キーとを同時に押下するといったキーの２重押しに対しても所定の操作が割り当てられている。即ち、上キーと右キーとが同時に押下されると、キー押下検出装置は、右上キーが押下されたと特定する。
【０００４】
ここで、上キーと右キーとの間に右上キーを設け、この右上キーを押下することで、上キーに押下されるメタルドームと、右キーに押下されるメタルドームとを同時に押下する部材が設けられたキー押下検出装置が提案されている。
【発明の開示】
【発明が解決しようとする課題】
【０００５】
しかしながら、以上の手法では、上キーに押下されるメタルドームと、右キーに押下されるメタルドームとを同時に押下する部材をキーと基板との間に更に設ける必要があるので、キーが配置されたキー操作部の厚みが増してしまう。そのため、携帯電話機の薄型化が阻害されるという問題があった。
【０００６】
また、上キーを特定するための配線及び右キーを特定するための配線とは別に、右上キーを特定するための配線を設ける手法も提案されているが、この手法では、右上キーを特定するための配線を新たに設ける必要があり、キーマトリクスが複雑化すると共に、キー押下検出装置の製造コストが上昇してしまうという問題があった。
【０００７】
従って、本発明は、キー操作部の薄型化を損なわず、且つ、キーマトリクスを複雑化せずにキーの２重押しの検出が可能なキー押下検出装置を提供することを目的とする。
【課題を解決するための手段】
【０００８】
本発明は、２以上の配線間に電流が流れることで所定のキーが押下されたことを検出するキー押下検出装置であって、第１配線、第２配線及び第３配線を有する基板と、前記基板上に配置され各々が独立して押下される第１キー、第２キー及び第３キーと、前記第１キーの押下によって、前記第１配線と前記第２配線とを電気的に接続する第１接続部と、前記第２キーの押下によって、前記第１配線と前記第３配線とを電気的に接続する第２接続部と、前記第３キーの押下によって、前記第１配線と前記第２配線と前記第３配線とを電気的に接続する第３接続部と、を備えたキー押下検出装置に関する。
【０００９】
また、前記第１配線は、該第１配線の一部が露出されて形成された第１端子部、第２端子部及び第３端子部を含んで構成され、前記第２配線は、該第２配線の一部が露出されて形成された第４端子部及び第５端子部を含んで構成され、前記第３配線は、該第３配線の一部が露出されて形成された第６端子部及び第７端子部を含んで構成され、前記第１接続部は、前記第１キーの押下によって、前記第１端子部及び前記第４端子部に接触し、前記第２接続部は、前記第２キーの押下によって、前記第２端子部及び前記第６端子部に接触し、前記第３接続部は、前記第３キーの押下によって、前記第３端子部、前記第５端子部及び前記第７端子部に接触することが好ましい。
【００１０】
また、前記第１端子部及び前記第４端子部のうちの一方の端子部は環状であり、他方の端子部は前記一方の端子部の内側に配置されていることが好ましい。
【００１１】
また、前記第３端子部、前記第５端子部及び前記第７端子部のうちの一つの端子部は環状であり、前記第３端子部、前記第５端子部及び前記第７端子部のうちの前記一つの端子部とは異なる二つの端子部は、前記一つの端子部の内側に配置されていることが好ましい。
【００１２】
また、前記二つの端子部のうちの一方の端子部は、他方の端子部に挟まれた領域を有することが好ましい。
【００１３】
また、前記基板は、前記第１配線、前記第２配線及び前記第３配線が複数の絶縁部材に挟み込まれて構成されており、前記二つの端子部それぞれの一部は、前記複数の絶縁部材の存在しない領域に位置しており、前記第３接続部は、前記二つの端子部における前記複数の絶縁部材の存在しない領域に位置している部分に接触することが好ましい。
【発明の効果】
【００１４】
本発明のキー押下検出装置によれば、キー操作部の薄型化を損なわない。また、キーマトリクスを複雑化せずにキーの２重押しの検出が可能となる。
【発明を実施するための最良の形態】
【００１５】
以下、本発明を実施するための好ましい一実施形態について、図面を参照しながら説明する。まず、本発明の第１実施形態に係るキー押下検出装置を備えた携帯電話機１の基本構造について、図１から図４を参照しながら説明する。
【００１６】
図１は、携帯電話機１を、操作部側筐体２と表示部側筐体３とを開いた状態で示す斜視図である。図２は、操作部側筐体２の分解斜視図である。図３は、操作部側筐体２の平面図である。図４は、図３のＸ−Ｘ線断面図である。
【００１７】
携帯電話機１は、図１に示すように、操作部側筐体２と、表示部側筐体３と、を備える。操作部側筐体２と表示部側筐体３とは、ヒンジ機構を備える連結部４を介して連結される。詳細には、操作部側筐体２の上端部と表示部側筐体３の下端部とが連結部４を介して開閉可能に連結される。つまり、連結部４は、表示部側筐体３と操作部側筐体２とを開閉軸Ｉを中心に開閉可能に連結している。
【００１８】
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にしたりできる。ここで、閉状態とは、両筐体が互いに重なるように配置された状態であり、開状態とは、両筐体が互いに重ならないように配置された状態である。
【００１９】
表示部側筐体３は、外面がフロントケース３ａ及びリアケース３ｂを主体として構成される。フロントケース３ａには、各種情報を表示するためのＬＣＤ表示部３１と、通話の相手側の音声を出力するレシーバとしてのスピーカ３２とが露出するように配置される。
【００２０】
ＬＣＤ表示部３１は、液晶パネルと、この液晶パネルを駆動する駆動回路と、この液晶パネルの背面側から光を照射するバックライト等の光源部（いずれも図示せず）とを備える。ＬＣＤ表示部３１には、携帯電話機１の各種機能に応じて数字、文字、画像等が表示される。
【００２１】
図２に示すように、操作部側筐体２は、外面がフロントケース２ａ及びリアケース２ｂを主体として構成される。
図１に示すように、操作部側筐体２は、フロントケース２ａ側に、複数のキー１１と、携帯電話機１の使用者が通話時に発した音声が入力されるマイクとしてのマイク２１とがそれぞれ露出するように構成される。
【００２２】
複数のキー１１は、各種設定や電話帳機能やメール機能等の各種機能を作動させるための機能設定操作キー１２と、電話番号の数字やメール等の文字等を入力するための入力操作キー１３と、各種操作における決定や上下左右方向のスクロール等を行う決定操作キー１４とにより構成される。
【００２３】
図３に示すように、決定操作キー１４は、円環状の十字キー１４１と、この十字キー１４１の内側に配置された決定キー１４２とを備える。
十字キー１４１は、いずれも図３に示した状態で、上側に位置する第１キーとしての上キー１４１ａ、右側に位置する第２キーとしての右キー１４１ｂ、下側に位置する下キー１４１ｃ及び左側に位置する左キー１４１ｄを備える。また、上キー１４１ａと右キー１４１ｂとの間には第３キーとしての右上キー１４１ｅが、右キー１４１ｂと下キー１４１ｃとの間には右下キー１４１ｆが、下キー１４１ｃと左キー１４１ｄとの間には左下キー１４１ｇが、左キー１４１ｄと上キー１４１ａとの間には左上キー１４１ｈがそれぞれ設けられている。
【００２４】
尚、上キー１４１ａ、右キー１４１ｂ、下キー１４１ｃ、左キー１４１ｄ、右上キー１４１ｅ、右下キー１４１ｆ、左下キー１４１ｇ、左上キー１４１ｈは、いずれも円環状の十字キー１４１から構成されているが、これらのキーは、いずれも各々が独立して押下される。
ここで、「各々が独立して押下される」とは、いずれか一のキーを押下しても、それにより他のキーが機械的に押下されることはなく、一のキーの押下は他のキーの押下に関係しないことを示す。
【００２５】
複数のキー１１それぞれには、操作部側筐体２と表示部側筐体３との開閉状態や各種モード、或いは起動されているアプリケーション等の種類に応じて所定の機能が割り当てられる（キー・アサイン）。そして、使用者が各キーを押下すると、後述するキー押下検出装置により、押下されたキーが特定され、各キーに割り当てられている機能に応じた動作が実行される。
【００２６】
マイク２１は、操作部側筐体２の長手方向における連結部４側と反対の外端部側に配置される。つまり、マイク２１は、携帯電話機１の開状態において一方の外端部側に配置される。
【００２７】
図２に示すように、フロントケース２ａとリアケース２ｂとの間には、フロントケース２ａ側から順に、複数のキー１１を備えたキーシート４０と、基板としてのフレキシブル配線基板５０と、ケース部材６０と、回路基板７０とが、積層配置されて内蔵される。
【００２８】
フロントケース２ａには、複数のキー１１それぞれの形状に対応した形状の複数のキー孔２２が設けられている。
【００２９】
キーシート４０は、シリコンゴム製のシート４５における一方側の表面に複数のキー１１が接着剤により貼り付けられて構成される。キーシート４０における複数のキー１１は、それぞれフロントケース２ａに設けられる複数のキー孔２２から露出するように配置される。
【００３０】
図４に示すように、フレキシブル配線基板５０は、ポリイミド樹脂からなる２枚の絶縁部材としての絶縁フィルム５２，５２の間に、後述の第１配線Ａ、第２配線Ｂ及び第３配線Ｃを含む複数の配線５３が挟み込まれて構成されている。フレキシブル配線基板５０におけるフロントケース２ａ側の面には、後述の第１端子部Ａ１から第７端子部Ｃ２を含む複数の端子部５４が形成される。これら複数の端子部５４は、２枚の絶縁フィルム５２，５２の間に挟み込まれた複数の配線５３それぞれの一部が露出されて形成される。また、フレキシブル配線基板５０におけるフロントケース２ａ側の面には、複数のキースイッチ５１が配置される。
複数のキースイッチ５１は、キーシート４０に設けられた複数のキー１１とそれぞれ重なり合う位置に配置される。
【００３１】
図２及び図４に示すように、複数のキースイッチ５１それぞれは、椀状に湾曲して立体的に形成されたメタルドームを有して構成される。メタルドームの頂点における内面には、内側に突出する凸部５１１が設けられている。メタルドームは、その椀状形状の頂点が押圧されると、凸部５１１が所定の配線５３に形成された端子部５４に接触すると共に、周縁部が凸部５１１の接触する端子部５４が形成された配線５３とは異なる配線５３に形成された端子部５４に接触して、これら２以上の配線５３を電気的に接続する。
【００３２】
ケース部材６０はシールドケースとして機能し、回路基板７０におけるフロントケース２ａ側の面に載置された状態で取り付けられる。
【００３３】
回路基板７０におけるフロントケース２ａ側の面には、ＲＦ（Ｒａｄｉｏ  Ｆｒｅｑｕｅｎｃｙ）回路、ＣＰＵ回路、電源回路等の複数の電子部品７１が搭載される。これら複数の電子部品７１は、回路基板７０上に設けられた配線７２や回路基板７０内部に設けられた配線（図示せず）等により電気的に接続される。
【００３４】
リアケース２ｂの外側には、開口が設けられており、この開口には、バッテリ８０が装脱可能に収納される。バッテリ８０の外側は、バッテリカバー８１に覆われる。
【００３５】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００３６】
次に、第１実施形態に係るキー押下検出装置について、図５及び図６を参照しながら説明する。
図５は、フレキシブル配線基板５０における決定操作キー１４に重なり合う部分の拡大平面図である。図６は、第１配線Ａ、第２配線Ｂ及び第３配線Ｃの配置を模式的に示す図である。
【００３７】
図５及び図６に示すように、キー押下検出装置は、第１配線Ａ、第２配線Ｂ及び第３配線Ｃを有する基板としてのフレキシブル配線基板５０と、フレキシブル配線基板５０上に配置される第１キーとしての上キー１４１ａ、第２キーとしての右キー１４１ｂ及び第３キーとしての右上キー１４１ｅと、上キー１４１ａの押下によって第１配線Ａと第２配線Ｂとを電気的に接続する第１接続部としての第１キースイッチ５１２、右キー１４１ｂの押下によって第１配線Ａと第３配線Ｃとを電気的に接続する第２接続部としての第２キースイッチ５１３、右上キー１４１ｅの押下によって第１配線Ａと第２配線Ｂと第３配線Ｃとを電気的に接続する第３接続部としての第３キースイッチ５１４と、を含んで構成される。
【００３８】
キー押下検出装置は、第１配線Ａと第２配線Ｂとの間の電気的接続を検出すると、上キー１４１ａが押下されたと特定する。また、第１配線Ａと第３配線Ｃとの間の電気的接続を検出すると、右キー１４１ｂが押下されたと特定する。また、第１配線Ａと第２配線Ｂと第３配線Ｃとの間の電気的接続を検出すると、右上キー１４１ｅが押下されたものと特定する。
【００３９】
図５及び図６に示すように、第１配線Ａは、上キー１４１ａに重なる部分に設けられた円形の第１端子部Ａ１、右キー１４１ｂに重なる部分に設けられた円環状の第２端子部Ａ２及び右上キー１４１ｅに重なる部分に設けられた円環状の第３端子部Ａ３を備える。
第２配線Ｂは、上キー１４１ａに重なる部分に設けられ、第１端子部Ａ１を囲んで配置される円環状の第４端子部Ｂ１、及び右上キー１４１ｅに重なる部分に設けられ第３端子部Ａ３の内側に配置される第５端子部Ｂ２を備える。
第３配線Ｃは、右キー１４１ｂに重なる部分に設けられ、第２端子部Ａ２の内側に配置される円形の第６端子部Ｃ１、及び右上キー１４１ｅに重なる部分に設けられ、第３端子部Ａ３の内側に配置される第７端子部Ｃ２を備える。
【００４０】
図５に示すように、第１キースイッチ５１２は、上キー１４１ａに重なる部分に配置される。また、第１キースイッチ５１２は、メタルドームの周縁部が円環状の第４端子部Ｂ１上に位置し、頂部が第１端子部Ａ１上に位置するように配置される。
第２キースイッチ５１３は、右キー１４１ｂに重なる部分に配置される。また、第２キースイッチ５１３は、メタルドームの周縁部が第２端子部Ａ２上に位置し、頂部が第６端子部Ｃ１上に位置するように配置される。
第３キースイッチ５１４は、右上キー１４１ｅに重なる部分に配置される。また、第３キースイッチ５１４は、メタルドームの周縁部が第３端子部Ａ３上に位置し、頂部が第５端子部Ｂ２及び第７端子部Ｃ２上に位置するように配置される。
【００４１】
図５に示すように、第５端子部Ｂ２及び第７端子部Ｃ２は、いずれも略Ｕ字状を有している。そして、第５端子部Ｂ２の一端側が第７端子部Ｃ２の両端部間に入り込み、また第７端子部Ｃ２の一端側が第５端子部Ｂ２の両端部間に入り込むように配置されている。つまり、第５端子部Ｂ２の一端側には、第７端子部Ｃ２に挟まれた領域が設けられている。同様に、第７端子部Ｃ２の一端側には、第５端子部Ｂ２に挟まれた領域が設けられている。
【００４２】
次に、上述のキー押下検出装置の動作について、図７から図１０を参照しながら説明する。
図７は、図５のＹ−Ｙ線断面図である。図８は、図７に示す状態から第１キースイッチ５１２が変形されて、第１キースイッチ５１２と、第１端子部Ａ１及び第４端子部Ｂ１とが接触した状態を示す図である。図９は、図５のＺ−Ｚ線断面図である。図１０は、図９に示す状態から第３キースイッチ５１４が変形されて、第３キースイッチ５１４と、第３端子部Ａ３、第５端子部Ｂ２及び第７端子部Ｃ２とが接触した状態を示す図である。
【００４３】
先ず、上キー１４１ａが押下された場合、上キー１４１ａは第１キースイッチ５１２を押下する。すると、上キー１４１ａに押下された第１キースイッチ５１２は、メタルドームの頂部がフレキシブル配線基板５０側に変形して凸部５１１が第１端子部Ａ１に接触すると共に、メタルドームの周縁部が第４端子部Ｂ１に接触する（図７及び図８参照）。これにより、第１端子部Ａ１と第４端子部Ｂ１とが電気的に接続されて第１配線Ａと第２配線Ｂとの間に電流が流れるので、キー押下検出装置は、上キー１４１ａが押下されたと特定する。
【００４４】
次に、右キー１４１ｂが押下された場合、右キー１４１ｂは第２キースイッチ５１３を押下する。すると、右キー１４１ｂに押下された第２キースイッチ５１３は、メタルドームの頂部がフレキシブル配線基板５０側に変形して凸部５１１が第６端子部Ｃ１に接触すると共に、メタルドームの周縁部が第２端子部Ａ２に接触する（図示せず）。これにより、第６端子部Ｃ１と第２端子部Ａ２とが電気的に接続されて、第１配線Ａと第３配線Ｃとの間に電流が流れるので、キー押下検出装置は、右キー１４１ｂが押下されたと特定する。
【００４５】
次に、右上キー１４１ｅが押下された場合、右上キー１４１ｅは第３キースイッチ５１４を押下する。すると、右上キー１４１ｅに押下された第３キースイッチ５１４は、メタルドームの頂部がフレキシブル配線基板５０側に変形して凸部５１１が第５端子部Ｂ２及び第７端子部Ｃ２に接触すると共に、メタルドームの周縁部が第３端子部Ａ３に接触する。これにより、第３端子部Ａ３と第５端子部Ｂ２と第７端子部Ｃ２が電気的に接続されて第１配線Ａと第２配線Ｂと第３配線Ｃとの間に電流が流れるので、キー押下検出装置は、右上キー１４１ｅが押下されたと特定する。
【００４６】
以上のキー押下検出装置によれば、以下の効果を奏する。
上キー１４１ａの押下によって第１配線Ａと第２配線Ｂとを電気的に接続する第１キースイッチ５１２と、右キー１４１ｂの押下によって第１配線Ａと第３配線Ｃとを電気的に接続する第２キースイッチ５１３と、右上キー１４１ｅの押下によって第１配線Ａと第２配線Ｂと第３配線Ｃとを電気的に接続する第３キースイッチ５１４と、を設けた。
これにより、右上キー１４１ｅを押下した場合に、上キー１４１ａに押下される第１キースイッチ５１２と右キー１４１ｂに押下される第２キースイッチ５１３とを同時に押下するための部材を、十字キー１４１と第１キースイッチ５１２及び第２キースイッチ５１３との間に配置する必要がない。よって、キー押下検出装置を備えた携帯電話機１の薄型化を図れる。
【００４７】
また、第１配線Ａと第２配線Ｂと第３配線Ｃとの間の電気的接続を検出することで右上キー１４１ｅが押下されたことを特定する構成とした。これにより、右上キー１４１ｅを特定するための新たな配線及び電極を設けることなく右上キー１４１ｅの押下の検出を行うことができる。よって、フレキシブル配線基板５０のキーマトリクスを複雑化せずにキーの２重押しの検出が可能である。
【００４８】
また、第１配線Ａを第１端子部Ａ１、第２端子部Ａ２及び第３端子部Ａ３を含んで構成し、第２配線Ｂを第４端子部Ｂ１及び第５端子部Ｂ２を含んで構成し、第３配線Ｃを第６端子部Ｃ１及び第７端子部Ｃ２を含んで構成した。
これにより、複数の配線５３に形成した複数の端子部５４の配置の自由度が高くなり、複数の端子部５４を複数のキー１１それぞれの配置に対応して最適な位置に配置できるので、キー押下検出装置を備えた携帯電話機１の小型化を図れる。
【００４９】
また、第４端子部Ｂ１を円環状とし、この第４端子部Ｂ１の内側に第１端子部Ａ１を配置して、第１キースイッチ５１２のメタルドームの周縁部を第４端子部Ｂ１に接触させると共に、メタルドームの凸部５１１を第１端子部Ａ１に接触させた。よって、第１キースイッチ５１２の配置が多少上下左右にずれた場合であっても、第１キースイッチ５１２は、第４端子部Ｂ１及び第１端子部Ａ１に良好に接触するので、第１配線Ａと第２配線Ｂとの間の接続不良が生じにくい。
【００５０】
また、第３端子部Ａ３を円環状とし、この第３端子部Ａ３の内側に第５端子部Ｂ２及び第７端子部Ｃ２を配置して、第３キースイッチ５１４のメタルドームの周縁部を第３端子部Ａ３に接触させると共に、メタルドームの凸部５１１を第５端子部Ｂ２及び第７端子部Ｃ２に接触させた。よって、第３キースイッチ５１４の配置が多少上下左右にずれた場合であっても、第３キースイッチ５１４は、第３端子部Ａ３、第５端子部Ｂ２及び第７端子部Ｃ２に良好に接触するので、第１配線Ａと第２配線Ｂと第３配線Ｃとの間の接続不良が生じにくい。
【００５１】
また、第５端子部Ｂ２及び第７端子部Ｃ２をいずれも略Ｕ字状に形成すると共に、第５端子部Ｂ２の一端側を第７端子部Ｃ２の両端部間に入り込ませ、第７端子部Ｃ２の一端側を第５端子部Ｂ２の両端部間に入り込ませた。
これにより、第５端子部Ｂ２の一端側には、第７端子部Ｃ２に挟まれた領域が設けられ、第７端子部Ｃ２の一端側には、第５端子部Ｂ２に挟まれた領域が設けられる。よって、第３キースイッチ５１４の配置が、図１１（ａ）から図１１（ｅ）に示すように、左右方向や上下方向にずれても、メタルドームの凸部５１１は、第５端子部Ｂ２及び第７端子部Ｃ２の両方に好適に接触するので、第１配線Ａ、第２配線Ｂ及び第３配線Ｃの３つの配線間での接続不良が生じにくい。
【００５２】
次に、本発明のキー押下検出装置の第２実施形態について、図１２及び図１３を参照しながら説明する。
図１２は、第２実施形態に係るキー押下検出装置の部分拡大断面図であり、第１実施形態における図９対応図である。図１３は、図１２に示すキー押下検出装置において、第３キースイッチ５１４と第３端子部Ａ３、第５端子部Ｂ２及び第７端子部Ｃ２とが接触した状態を示す図である。
尚、以下の第２実施形態の説明にあたって、同一構成要件については同一符号を付し、その説明を省略もしくは簡略化する。
【００５３】
第２実施形態では、主として、第５端子部Ｂ２及び第７端子部Ｃ２それぞれの一部が２枚の絶縁フィルム５２の存在しない領域に位置している点で第１実施形態と異なる。
具体的には、図１２に示すように、第５端子部Ｂ２及び第７端子部Ｃ２における絶縁フィルム５２の存在しない領域に位置する部分は、第３キースイッチ５１４の凸部５１１と重なり合う位置に形成されている。
【００５４】
第２実施形態のキー押下検出装置は、以下のように動作する。
図１２及び図１３に示すように、右上キー１４１ｅが押下された場合、右上キー１４１ｅは第３キースイッチ５１４を押下する。すると、右上キー１４１ｅに押下された第３キースイッチ５１４は、メタルドームの頂部がフレキシブル配線基板５０側に変形して凸部５１１が第５端子部Ｂ２及び第７端子部Ｃ２における絶縁フィルム５２の存在しない領域に位置している部分に接触すると共に、メタルドームの周縁部が第３端子部Ａ３に接触する。
第３キースイッチの凸部５１１が第５端子部Ｂ２及び第７端子部Ｃ２における絶縁フィルム５２の存在しない領域に位置している部分に接触すると、第５端子部Ｂ２及び第７端子部Ｃ２における絶縁フィルム５２の存在しない領域に位置している部分は、絶縁フィルム５２に支持されていないので、凸部５１１に押圧されて右上キー１４１ｅの押下方向側に変形（湾曲）する。
【００５５】
第２実施形態のキー押下検出装置によれば、第１実施形態と同様の効果を奏する他、以下の効果を奏する。
第５端子部Ｂ２及び第７端子部Ｃ２それぞれの一部を２枚の絶縁フィルム５２の存在しない領域に位置させた。これにより、右上キー１４１ｅが押下された場合に、第３キースイッチ５１４の凸部５１１と第５端子部Ｂ２及び第７端子部Ｃ２との接触部分が湾曲するので、凸部５１１と第５端子部Ｂ２及び第７端子部Ｃ２との接触面積が増加する。よって、第３キースイッチ５１４と、第５端子部Ｂ２及び第７端子部Ｃ２との接続性が向上する。
【００５６】
以上、本発明の各実施形態について説明したが、本発明は前述した実施形態に制限されるものではなく、適宜変更が可能である。
例えば、第１実施形態及び第２実施形態では、第５端子部Ｂ２及び第７端子部Ｃ２をいずれも略Ｕ字形状に構成したがこれに限らない。例えば、第５端子部及び第７端子部を、それぞれ略半円形状に構成して、互いの弦（直線部分）が対向するように配置してもよい（図示せず）。
【００５７】
また、第１実施形態及び第２実施形態では、第４端子部Ｂ１、第２端子部Ａ２及び第３端子部Ａ３を円環状に形成し、第１端子部Ａ１を第４端子部Ｂ１の内側に配置し、第６端子部Ｃ１を第２端子部Ａ２の内側に配置し、第５端子部Ｂ２及び第７端子部Ｃ２を第３端子部Ａ３の内側に配置したがこれに限らない。例えば、第１端子部Ａ１、第６端子部Ｃ１及び第５端子部Ｂ２を円環状に形成し、第４端子部Ｂ１を第１端子部Ａ１の内側に配置し、第２端子部Ａ２を第６端子部Ｃ１の内側に配置し、第３端子部Ａ３及び第７端子部Ｃ２を第５端子部Ｂ２の内側に配置してもよい。
【００５８】
また、第１実施形態及び第２実施形態では、キースイッチ５１の頂点の内面側には、一つの凸部５１１を設けていたがこれに限らない。即ち、図１４に示すように、キースイッチ５１の頂点の内面側に凸部５１１ａを２つ設けてもよく、また、図１５に示すように、凸部５１１ｂの面積を大きく構成してもよい。
【００５９】
また、本発明のキー押下検出装置を、複数の配線に形成する複数の端子部それぞれの配置及びキースイッチの形状を変えることで、３つのキーを同時に押下するキーの３重押しや４つのキーを同時に押下するキーの４重押しに対して所定の操作を割り当てるように構成してもよい。
【００６０】
また、第１実施形態及び第２実施形態では、本発明のキー押下検出装置を携帯電話機に適用したがこれに限らない。即ち、本発明のキー押下検出装置を、ＰＨＳ（登録商標：Ｐｅｒｓｏｎａｌ  Ｈａｎｄｙｐｈｏｎｅ  Ｓｙｓｔｅｍ）、無線機能を有するポータブルゲーム機、ポータブルナビゲーション機、ＰＤＡ（Ｐｅｒｓｏｎａｌ  Ｄａｔａ  Ａｓｓｉｓｔａｎｃｅ）、ノートパソコン等の複数のキーを備えた電子機器に適用してもよい。
【図面の簡単な説明】
【００６１】
【図１】本発明のキー押下検出装置を備えた携帯電話機を、操作部側筐体と表示部側筐体とを開いた状態で示す斜視図である。
【図２】図１に示す携帯電話機における操作部側筐体の分解斜視図である。
【図３】図１に示す携帯電話機における操作部側筐体の平面図である。
【図４】図３におけるＸ−Ｘ線断面図である。
【図５】フレキシブル配線基板における決定操作キーに重なり合う部分の拡大平面図である。
【図６】第１配線、第２配線及び第３配線の配置を模式的に示す図である。
【図７】図５のＹ−Ｙ線断面図である。
【図８】図７に示す状態から第１キースイッチが変形されて、第１キースイッチと、第１端子部及び第４端子部とが接触した状態を示す図である。
【図９】図５のＺ−Ｚ線断面図である。
【図１０】図９に示す状態から第３キースイッチが変形されて、第３キースイッチと、第３端子部、第５端子部及び第７端子部とが接触した状態を示す図である。
【図１１】図１１（ａ）から図１１（ｄ）は、それぞれ、キースイッチがフレキシブル配線基板に対して上下左右方向にずれて配置された状態を示す平面図である。
【図１２】第２実施形態に係るキー押下検出装置の部分拡大断面図である。
【図１３】図１２に示すキー押下検出装置において、第３キースイッチと第３端子部、第５端子部及び第７端子部とが接触した状態を示す図である。
【図１４】メタルドームの凸部の変形例を示す図である。
【図１５】メタルドームの凸部の変形例を示す図である。
【符号の説明】
【００６２】
１  携帯電話機
２  操作部側筐体
３  表示部側筐体
４  連結部
５０  フレキシブル配線基板（基板）
１４１ａ  上キー（第１キー）
１４１ｂ  右キー（第２キー）
１４１ｅ  右上キー（第３キー）
５１２  第１キースイッチ（第１接続部）
５１３  第２キースイッチ（第２接続部）
５１４  第３キースイッチ（第３接続部）
Ａ  第１配線
Ａ１  第１端子部
Ａ２  第２端子部
Ａ３  第３端子部
Ｂ  第２配線
Ｂ１  第４端子部
Ｂ２  第５端子部
Ｃ  第３配線
Ｃ１  第６端子部
Ｃ２  第７端子部
【図１】
2010009963.tif 000003
【図２】
2010009963.tif 000004
【図３】
2010009963.tif 000005
【図４】
2010009963.tif 000006
【図５】
2010009963.tif 000007
【図６】
2010009963.tif 000008
【図７】
2010009963.tif 000009
【図８】
2010009963.tif 000010
【図９】
2010009963.tif 000011
【図１０】
2010009963.tif 000012
【図１１】
2010009963.tif 000013
【図１２】
2010009963.tif 000014
【図１３】
2010009963.tif 000015
【図１４】
2010009963.tif 000016
【図１５】
2010009963.tif 000017